(57)【要約】      （修正有）【課題】携帯性・利便性に優れ、床やカーペットや衣服等に付着した埃・ごみや毛（ペットの体毛等）を容易に除去できる清掃用具を提供する。【解決手段】複数枚の粘着シートを積層した粘着シート束を係止するための係止用突起１２と、前記粘着シート束の非粘着面に付勢力を付与し、前記粘着シート束を押し上げるための板状ばね１３とを有する板状の本体部１と、前記本体部に係止される粘着シート束を覆うカバー２と、前記カバーを前記本体部に回転可能に係合するヒンジ機構３とを備える。【選択図】図２
0003207276.tif 000002
【実用新案登録請求の範囲】
【請求項１】
複数枚の粘着シートを積層した粘着シート束を係止するための係止用突起と、前記粘着シート束の非粘着面に付勢力を付与し、前記粘着シート束を押し上げるための板状ばねとを有する板状の本体部と、
前記本体部に係止される粘着シート束を覆うカバーと、
前記カバーを前記本体部に回転可能に係合するヒンジ機構と
を備えることを特徴とする清掃用具。
【請求項２】
前記本体部は、合成樹脂からなることを特徴とする請求項１に記載の清掃用具。
【請求項３】
前記カバーは、
前記粘着シート束の粘着面との対向面に、前記粘着シートが粘着することを抑制するための凹凸加工が施されていることを特徴とする請求項１又は請求項２に記載の清掃用具。
【請求項４】
前記本体部の係止用突起の上端部には、周方向に沿って溝が形成されており、
本体部の係止用突起を挿通するための貫通孔と、前記係止用突起に形成された溝に勘合する突出片を有し、貫通孔に前記係止用突起を挿通させて、前記突出片を係止用突起に形成された溝に勘合することで前記本体部に載置される粘着シート束を固定する固定板を備えることを特徴とする請求項１乃至請求項３のいずれかに記載の清掃用具。
【請求項５】
板状の本体及び前記本体に付勢力を付与するコイルばねとを有するバインダーを備え、該バインダーにより前記本体部に載置される粘着シート束を固定することを特徴とする請求項１乃至請求項３のいずれかに記載の清掃用具。
【請求項６】
前記本体部の係止用突起の上端部には、軸方向に穴が形成されており、
前記係止用突起の上端部に形成された穴に挿入される突起部を有し、該突起部を前記係止用突起の上端部に形成された穴に挿入することで前記本体部に載置される粘着シート束を固定する板状部材を備えることを特徴とする請求項１乃至請求項３のいずれかに記載の清掃用具。
【請求項７】
前記ヒンジ機構は、
前記本体部の一端側に設けられ、長手方向に沿って貫通孔が形成された第１の収容部と、
前記第１の収容部の貫通孔に収容される伸縮可能に構成された伸縮棒と、
前記カバーの一端側に設けられ、前記伸縮棒の両端部を各々収容する収容穴が形成された第２の収容部とで構成されることを特徴とする請求項１乃至請求項６のいずれかに記載の清掃用具。
【請求項８】
前記粘着シートは、
粘着のりが塗布された粘着面と、前記粘着面からきれいにはがれるはくり面とからなり、
前記粘着面には、前記粘着のりが塗布されていない非粘着部を有することを特徴とする請求項１乃至請求項７にいずれかに記載の清掃用具。
【考案の詳細な説明】
【技術分野】
【０００１】
本考案は、清掃用具に関し、特に、床やカーペット等に付着した埃、ごみを除去するための清掃用具に関する。
【背景技術】
【０００２】
従来から床・カーペットや衣服等に付着した埃・ごみや毛（ペットの体毛等）を除去するため種々の掃除用具が開発・提案されている。例えば、特許文献１に記載のものは、床拭き用に使う掃除棒の先にノリ付きペーパータオルを付け、掃除棒の先にゴム板を取り付けた清掃用具が提案されている。
【０００３】
ところで、レストラン等の店舗、ホテルや旅館等の宿泊施設では、接客だけでなく清潔さも重要な指標となっている。このため、店舗や宿泊施設等の店内は常にきれいな状態を保つことが望ましい。しかしながら、これら店舗や宿泊施設では、決まった時間帯に清掃を行うのみであり清掃時間帯以外の時間帯では、埃やごみがそのまま放置されていることもある。
【０００４】
これは、従来の清掃用具が大型であり常時携帯することが難しいこと、また、大型の清掃用具を使用すると目立つため、特に、レストラン等の食事をする店舗では、食事中にそのような大型の清掃用具を使用することを嫌悪する客が多いことなどが理由であると考えられる。
【先行技術文献】
【特許文献】
【０００５】
【特許文献１】実開０７−０４４１６２号公報
【考案の概要】
【考案が解決しようとする課題】
【０００６】
本考案は、上記課題の解決のためになされたものであり、携帯性・利便性に優れ、床やカーペット等や衣服等に付着した埃・ごみや毛（ペットの体毛等）を容易に除去できる清掃用具を提供することを目的とする。
【課題を解決するための手段】
【０００７】
上記の課題を解決すべく、本考案に係る清掃用具は、複数枚の粘着シートを積層した粘着シート束を係止するための係止用突起と、前記粘着シート束の非粘着面に付勢力を付与し、前記粘着シート束を押し上げるための板状ばねとを有する板状の本体部と、前記本体部に係止される粘着シート束を覆うカバーと、前記カバーを前記本体部に回転可能に係合するヒンジ機構とを備えることを特徴とする。
【０００８】
本考案によれば、本体部をコンパクトに設計することができるため携帯性に優れる。また、コンパクトなため常に携帯することができ、必要に応じて直ぐに取り出すことができるため利便性に優れる。また、携帯性に優れ、直ぐに取り出すことができるため、床やカーペット等や衣服等に付着した埃・ごみや毛（ペットの体毛等）を容易に除去できる。さらに、粘着シート束を押し上げるための板状ばねを有するので、粘着シート束を本体部にしっかりと固定することができ、埃、ごみを除去する際に粘着シート束が床やカーペットに取り残されることを抑制することができる。
【０００９】
本考案に係る清掃用具の前記本体部は、合成樹脂からなることを特徴とする。
【００１０】
本考案によれば、本体部が合成樹脂からなり、硬すぎず柔らかすぎずに適度に撓るため、本体部に装着される粘着シートを床やカーペット、衣類等に十分に押し付けることができる。このため、床やカーペット等や衣服等に付着した埃・ごみや毛（ペットの体毛等）を効果的に除去することができる。
【００１１】
本考案に係る折り清掃用具の前記カバーは、前記粘着シート束の粘着面との対向面に、前記粘着シートが粘着することを抑制するための凹凸加工が施されていることを特徴とする。
【００１２】
カバーに粘着シートが貼り付いていると、粘着シートをカバーから外す作業が必要となり、その作業が客から見て見苦しいだけでなく、使用者も直ぐに使用することができずにストレスとなる。また、カバーに張り付いた粘着シートは破棄することになるため、粘着シートも無駄になる。しかし、本考案によれば、カバーに粘着シートが粘着することを抑制することができるので、粘着シートがカバーに付着することがなく、カバーを開いた際に直ぐに使用することができる。このため、スムーズに使用することができ利便性が向上する。また、カバーに張り付いた粘着シートは破棄することもなくなるため粘着シートも無駄にならない。
【００１３】
本考案に係る折り清掃用具の前記本体部の係止用突起の上端部には、周方向に沿って溝が形成されており、本体部の係止用突起を挿通するための貫通孔と、前記係止用突起に形成された溝に勘合する突出片を有し、貫通孔に前記係止用突起を挿通させて、前記突出片を係止用突起に形成された溝に勘合することで前記本体部に載置される粘着シート束を固定する固定板を備えることを特徴とする。
【００１４】
本考案によれば、簡易な構造で粘着シート束を本体部に固定することができるので、製造コストを抑制することができる。また、粘着シート束が本体部にしっかりと固定されるので、埃、ごみを除去する際に粘着シート束が床やカーペット、衣類等に取り残されることを効果的に抑制することができる。
【００１５】
本考案に係る清掃用具は、板状の本体及び前記本体に付勢力を付与するコイルばねとを有するバインダーを備え、該バインダーにより前記本体部に載置される粘着シート束を固定することを特徴とする。
【００１６】
本考案によれば、簡易な構造で粘着シート束を本体部に固定することができるので、製造コストを抑制することができる。また、粘着シート束が本体部にしっかりと固定されるので、埃、ごみを除去する際に粘着シート束が床やカーペット、衣類等に取り残されることを効果的に抑制することができる。
【００１７】
本考案に係る清掃用具の前記本体部の係止用突起の上端部には、軸方向に穴が形成されており、前記係止用突起の上端部に形成された穴に挿入される突起部を有し、該突起部を前記係止用突起の上端部に形成された穴に挿入することで前記本体部に載置される粘着シート束を固定する板状部材を備えることを特徴とする。
【００１８】
本考案によれば、簡易な構造で粘着シート束を本体部に固定することができるので、製造コストを抑制することができる。また、粘着シート束が本体部にしっかりと固定されるので、埃、ごみを除去する際に粘着シート束が床やカーペット、衣類等に取り残されることを効果的に抑制することができる。
【００１９】
本考案に係る折り清掃用具の前記ヒンジ機構は、前記本体部の一端側に設けられ、長手方向に沿って貫通孔が形成された第１の収容部と、前記第１の収容部の貫通孔に収容される伸縮可能に構成された伸縮棒と、前記カバーの一端側に設けられ、前記伸縮棒の両端部を各々収容する収容穴が形成された第２の収容部とで構成されることを特徴とする。
【００２０】
本考案によれば、部品点数が少なく、簡易な構造でヒンジ機構を構成することができるので、製造コストを抑制することができる。
【００２１】
本考案に係る折り清掃用具の前記粘着シートは、粘着のりが塗布された粘着面と、前記粘着面からきれいにはがれるはくり面とからなり、前記粘着面には、前記粘着のりが塗布されていない非粘着部を有することを特徴とする。
【００２２】
本考案によれば、粘着シートの粘着のりが塗布された粘着面に、前記粘着のりが塗布されていない非粘着部を有するので、使用後の粘着シートを粘着シート束から容易にはがすことができ利便性に優れる。
【考案の効果】
【００２３】
以上説明したように、本考案によれば、携帯性・利便性に優れ、床やカーペット等や衣服等に付着した埃・ごみや毛（ペットの体毛等）を容易に除去できる清掃用具を提供することができる。
【図面の簡単な説明】
【００２４】
【図１】実施形態に係る清掃用具の表面及び裏面の斜視図である。
【図２】実施形態に係る清掃用具の分解斜視図である。
【図３】実施形態に係る清掃用具の本体部の表面及び裏面の斜視図である。
【図４】実施形態に係る清掃用具の本体部の係止用突起の拡大側面図である。
【図５】実施形態に係る清掃用具のカバーの表面及び裏面の斜視図である。
【図６】実施形態に係る清掃用具の固定板の表面及び裏面の斜視図である。
【図７】実施形態に係る清掃用具の伸縮棒の構成図である。
【図８】実施形態に係る清掃用具の粘着シート束及び粘着シートの構成図である。
【図９】実施形態に係る清掃用具の使用状態を示す図である。
【図１０】実施形態の変形例１に係る清掃用具の粘着シート束の固定機構の斜視図である。
【図１１】実施形態の変形例１に係る清掃用具の固定機構により粘着シート束を本体部に固定した際の側面図である。
【図１２】実施形態の変形例１に係る清掃用具の固定機構により粘着シート束を本体部に固定した際の側面図である。
【図１３】実施形態の変形例２に係る清掃用具の粘着シート束の固定機構（ファスナー）を示す図である。
【図１４】実施形態の変形例２に係る清掃用具の本体部に設けられた固定機構（ファスナー）の構成図である。
【図１５】実施形態の変形例２に係る清掃用具の固定機構（ファスナー）により粘着シート束を本体部に固定した際の断面図である。
【考案を実施するための形態】
【００２５】
（実施形態）
図１（ａ）は、実施形態に係る清掃用具の表面の斜視図である。図１（ｂ）は、実施形態に係る清掃用具の裏面の斜視図である。図２は、実施形態に係る清掃用具の分解斜視図である。図３（ａ）は、実施形態に係る清掃用具の本体部の表面の斜視図である。図３（ｂ）は、実施形態に係る清掃用具の本体部の裏面の斜視図である。図４は、実施形態に係る清掃用具の本体部の係止用突起の拡大側面図である。図５（ａ）は、実施形態に係る清掃用具のカバーの表面の斜視図である。図５（ｂ）は、実施形態に係る清掃用具のカバーの裏面の斜視図である。図６（ａ）は、実施形態に係る清掃用具の固定板の表面の斜視図である。図６（ｂ）は、実施形態に係る清掃用具の固定板の裏面の斜視図である。図７（ａ）は、実施形態に係る清掃用具の伸縮棒の斜視図である。図７（ｂ）は、実施形態に係る清掃用具の伸縮棒の平面図である。図８（ａ）は、実施形態に係る清掃用具の粘着シート束の斜視図である。図８（ｂ）は、実施形態に係る清掃用具の粘着シートの平面図である。図９は、実施形態に係る清掃用具の使用状態を示す図である。以下、図面を参照して本考案の実施形態を説明する。
【００２６】
図１に示すように、本考案の実施形態に係る清掃用具は、通常、閉じた状態でユーザに携帯される。使用時には、カバーを開くことにより、内部に収容された粘着シートを露出させてごみや誇り等を取り除く。
【００２７】
図２に示すように本考案の実施形態に係る清掃用具は、本体部１と、カバー２と、ヒンジ機構３と、固定板４とを備えている。図３に示すように、本体部１は、複数枚の粘着シートを積層した粘着シート束を固定するための矩形の板状部材である。本体部１は、粘着シート束を載置するベース部１１と、粘着シート束を係止するための２本の係止用突起１２と、ベース部１１に設けられ、粘着シート束の非粘着面（裏面）に付勢力を付与して粘着シート束を押し上げるための板状ばね１３とを有する。
【００２８】
ここで、清掃用具は、少なくとも本体部１のベース部１１がポリアミド、ポリプロピレン、ポリカーボネート等の撓り（柔軟性）を有する合成樹脂からなる。これら合成樹脂は、硬すぎず柔らかすぎずに適度に撓る。このため、図９に示すように、本体部１１に装着される粘着シートを床やカーペット、衣類等に十分に押し付けることができ、床やカーペットや衣服等に付着した埃・ごみや毛（ペットの体毛等）を効果的に除去することができる。また、本体部１の係止用突起１２は、ベース部１１に立設して設けられ、上端部１２１の少なくとも一部には、周方向に沿って溝１２２が形成されている。
【００２９】
図５に示すように、カバー２は、本体部１に装着される粘着シート束を覆う部材であり、裏面２Ｒ側に粘着シート束を収容するための窪み２１が設けられている。また、粘着シート束の粘着面との対向面であるカバー２の裏面２Ｒには、粘着シートが粘着することを抑制するため凹凸加工が施されている。図５に示す例では、ストライプ状に複数本の凸部２２がカバー２の裏面２Ｒに形成されている。なお、カバー２の裏面２Ｒに施される凹凸加工は、図５に示す例に限られず粘着シートが粘着することを抑制できればよく、例えば、ローレット加工を施してもよい。
【００３０】
カバー２は、ヒンジ機構３により本体部１に回転可能に係合されており、折りたたむようにしてカバー２で本体部１を覆うことで、本体部１に装着された粘着シート束が収容される。
また、カバー２は、ポリアミド、ポリプロピレン、ポリカーボネート等の撓りを有する合成樹脂からなり、カバー２の表面２Ｓ側に印刷により意匠を施すことができるように構成されている。
【００３１】
ポリアミドは、柔軟性が良好でＵＶ印刷が可能である。また、ポリプロピレンは、ポリアミドよりも柔軟性に優れるがＵＶ印刷が難しい（べた塗りのシルク印刷は可能）という特性を有する。さらに、ポリカーボネートは、ポリアミド及びポリプロピレンに比べ、少し柔軟性で劣るがＵＶ印刷が可能である。
【００３２】
図２に示すように、ヒンジ機構３は、本体部１の一端側に設けられ、長手方向に沿って貫通孔３１４が形成された第１の収容部３１と、第１の収容部３１の貫通孔３１４に収容される伸縮可能に構成された伸縮棒３２と、カバー２の一端側に設けられ、伸縮棒３２の両端部３２２Ａ，３２２Ｂを各々収容する収容穴３３１Ａ，３３１Ｂが形成された第２の収容部３３とで構成される。
【００３３】
図３及び図４に示すように、第１の収容部３１は、本体部１の端部に沿って設けられた筒状体であり、中央に伸縮棒３２を収容するための貫通孔３１４が長手方向に沿って形成されている。また、第１の収容部３１には、本体部１に立設して設けられている係止用突起１２に向かって延伸する第１の延在片３１１と、第２の延在片３１２とが第１の収容部３１の長手方向に沿って設けられている。第１の延在片３１１には、第１の収容部３１の反対側の端部に沿って、固定板４の長溝４３と勘合する突起部３１３が設けられている。また、第２の延在片３１２は、第１の延在片３１１と本体部１との間に設けられている。
【００３４】
図７に示すように、伸縮棒３２は、各々伸縮自在な２本のばね状部材３２１Ａ，３２１Ｂと、ばね状部材３２１Ａ，３２１Ｂの各々の一端に設けられた柱状部材３２２Ａ，３２２Ｂとで構成される。ばね状部材３２１Ａ，３２１Ｂは、複数回折り曲げられた板状部材からなり、該板状部材を構成する部材（例えば、ポリアミド、ポリプロピレン、ポリカーボネート等の柔軟性を有する合成樹脂）の弾性力により伸縮する。
【００３５】
また、柱状部材３２２Ａ，３２２Ｂの先端は、第２の収容部３３に挿入されやすいように角部が面取りされたＲ面となっている。また、柱状部材３２２Ａ，３２２Ｂは、各々その一部に平面３２３Ａ，３２３Ｂを有し、該平面３２３Ａ，３２３Ｂにより、カバー２を開いた際にカバー２の位置が固定され、開いたカバーの位置をキープすることができる。なお、図７に示す例では、伸縮棒３２が２本の２本のばね状部材３２１Ａ，３２１Ｂで構成されているが、ばね状部材３２１Ａ，３２１Ｂを一本とし、その両端に柱状部材３２２Ａ，３２２Ｂを設けるように構成してもよい。
【００３６】
図５に示すように、第２の収容部３３は、カバー２の一端側に設けられた２つの収容部からなり、第２の収容部３３を構成する各収容部には、伸縮棒３２の両端部３２２Ａ，３２２Ｂを各々収容するための収容穴３３１Ａ，３３１Ｂが形成されている。
【００３７】
図６に示すように、固定板４は、矩形の板状部材であり、本体部１の係止用突起１２を挿通するための２つの貫通孔４１と、係止用突起１２に形成された溝１２２に勘合する突出片４２を有する。長溝４３は、２つの貫通孔４１を結ぶようにして固定板４の板状の一片に沿って形成されている。
【００３８】
そして、固定板４の貫通孔４１に係止用突起１２を挿通させて、固定板４の突出片４２を係止用突起１２に形成された溝１２２に勘合するとともに、固定板４の長溝４３をヒンジ機構３を構成する第１の収容部３１の突起部３２に勘合することで粘着シート束を本体部１に固定することができる。
【００３９】
図８（ａ）に示すように、粘着シート束５は、複数枚の粘着シート５１を積層して構成されている。また、図８（ｂ）に示すように、各粘着シート５１は、粘着のりが塗布された粘着面５２（表面）と、粘着面５２からきれいにはがれるはくり面５３（裏面）とからなり、粘着面５２には、粘着のりが塗布されていない非粘着部５４を有している。さらに、各粘着シート５１には、係止用突起１２を挿通するための貫通孔５５が設けられている。
【００４０】
以上のように、本考案に係る清掃用具は、複数枚の粘着シート５１を積層した粘着シート束５を係止するための係止用突起１２と、粘着シート束５の非粘着面であるはくり面５４に付勢力を付与し、粘着シート束５を押し上げるための板状ばね１３とを有する板状の本体部１と、本体部１に係止される粘着シート束５を覆うカバー２と、カバー２を本体部１に回転可能に係合するヒンジ機構３とを備えている。
【００４１】
本考案によれば、本体部１をコンパクトに設計することができるため携帯性に優れる。また、コンパクトなため常に携帯することができ、必要に応じて直ぐに取り出すことができるため利便性に優れる。また、携帯性に優れ、直ぐに取り出すことができるため、床やカーペット等に付着した埃、ごみを容易に除去できる。さらに、粘着シート束５を押し上げるための板状ばね１３を有するので、粘着シート束５を本体部１にしっかりと固定することができ、埃、ごみを除去する際に粘着シート束５が床やカーペット、衣類等に取り残されることを抑制することができる。
【００４２】
また、本考案に係る清掃用具の本体部１は、合成樹脂からなる。
【００４３】
本考案によれば、本体部１が合成樹脂からなり、硬すぎず柔らかすぎずに適度に撓るため、本体部１に装着される粘着シート５１を床やカーペット等に十分に押し付けることができる。このため、床やカーペットや衣服等に付着した埃・ごみや毛（ペットの体毛等）を効果的に除去することができる。
【００４４】
また、本考案に係る折り清掃用具のカバー２は、粘着シート５１の粘着面５２との対向面に、粘着シート５２が粘着することを抑制するための凹凸加工が施されている。
【００４５】
カバー２に粘着シート５１が貼り付いていると、粘着シート５１をカバー２から外す作業が必要となり、その作業が客から見て見苦しいだけでなく、使用者も直ぐに使用することができずにフラストレーションがたまる。また、カバー２に張り付いた粘着シート５１は破棄することになるため、粘着シート５１も無駄になる。しかし、本考案によれば、カバー２に粘着シート５１が粘着することを抑制することができるので、粘着シート５１がカバー２に付着することがなく、カバー２を開いた際に直ぐに使用することができる。このため、スムーズに使用することができ利便性が向上する。また、カバー２に張り付いた粘着シート５１は破棄することもなくなるため粘着シート５１も無駄にならない。
【００４６】
また、本考案に係る折り清掃用具の本体部１の係止用突起１２の上端部１２１には、周方向に沿って溝１２２が形成されており、本体部１の係止用突起１２を挿通するための貫通孔４１と、係止用突起１２に形成された溝１２２に勘合する突出片４２を有し、貫通孔４１に係止用突起１２を挿通させて、突出片４２を係止用突起１２に形成された溝１２２に勘合することで本体部１に載置される粘着シート束５を固定する固定板４を備えている。
【００４７】
本考案によれば、簡易な構造で粘着シート束５を本体部１に固定することができるので、製造コストを抑制することができる。また、粘着シート束５が本体部１にしっかりと固定されるので、埃、ごみを除去する際に粘着シート束５が床やカーペット、衣類等に取り残されることを効果的に抑制することができる。
【００４８】
また、本考案に係る折り清掃用具のヒンジ機構３は、本体部１の一端側に設けられ、長手方向に沿って貫通孔３１４が形成された第１の収容部３１と、第１の収容部３１の貫通孔３１４に収容される伸縮可能に構成された伸縮棒３２と、カバー２の一端側に設けられ、伸縮棒３２の両端部３２１Ａ，３２１Ｂを各々収容する収容穴３３１が形成された第２の収容部３３とで構成されている。
【００４９】
本考案によれば、部品点数が少なく、簡易な構造でヒンジ機構３を構成することができるので、製造コストを抑制することができる。
【００５０】
また、本考案に係る折り清掃用具の粘着シート５１は、粘着のりが塗布された粘着面５２と、粘着面５２からきれいにはがれる（非粘着面である）はくり面５３とからなり、粘着面５２には、粘着のりが塗布されていない非粘着部５４を有している。
【００５１】
本考案によれば、粘着シート５１の粘着のりが塗布された粘着面５２に、粘着のりが塗布されていない非粘着部５４を有するので、使用後の粘着シート５１を粘着シート束５から容易にはがすことができ利便性に優れる。
【００５２】
（実施形態の変形例１）
図１０は、実施形態の変形例１に係る清掃用具の粘着シート束の固定機構（バインダー）の斜視図である。図１１は、実施形態の変形例１に係る清掃用具の固定機構（バインダー）により粘着シート束を本体部に固定した際の側面図である。図１２は、実施形態の変形例１に係る清掃用具の固定機構（バインダー）により粘着シート束を本体部に固定した際の側面図である。以下、実施形態の変形例１に係る清掃用具について説明するが、図１〜図９を参照して説明した構成と同一の構成には同一の符号を付して重複する説明を省略する。
【００５３】
上記実施形態では、固定板４により粘着シート束５を本体部１に固定しているが、図１０〜図１２に示す例では、バインダー６（固定機構）により粘着シート束５を本体部１に固定している。バインダー６の板状の本体６１と、本体６１に付勢力を付与するコイルばね６２とを備えている。
【００５４】
本体６の一端側６１Ａは、歯状加工が施されており、粘着シート束５が本体部１から外れないように構成されている。このため、使用済みの粘着シート５１を粘着シート束５から引き抜く（図１１参照）又は使用済みの粘着シート５１を切り取り線Ｃで切り取る（図１２参照）際に粘着シート束５が本体部１から外れることがなく使用することができる。なお、粘着シート束５が本体部１から外れなければ、本体６の一端側６１Ａの歯状加工は無くてもよいし、他の構成としてもよい。
【００５５】
また、本体６の他端側６１Ｂは、折り返し構造となっている。また、本体部１には、コイルばね６２を係止するためのフック部１４が形成されている。そして、本体６の他端側６１Ｂの折り返しにより形成される隙間６Ｓにコイルばね６２の一端６２Ａを差し込み、コイルばね６２の他端６２Ｂを本体部１のフック部１４に取り付けることでバインダー６（固定機構）が本体部１に取り付けられる。
【００５６】
以上のように、本考案の変形例１に係る清掃用具は、板状の本体６１及び本体６１に付勢力を付与するコイルばね６２とを有するバインダー６を備え、該バインダー６により本体部１に載置される粘着シート束５を固定している。
【００５７】
本考案の変形例１によれば、簡易な構造で粘着シート束５を本体部１に固定することができるので、製造コストを抑制することができる。また、粘着シート束５が本体部１にしっかりと固定されるので、埃、ごみを除去する際に粘着シート束５が床やカーペットに取り残されることを効果的に抑制することができる。
【００５８】
（実施形態の変形例２）
図１３（ａ）は、実施形態の変形例２に係る清掃用具の粘着シート束の固定機構（ファスナー）の裏面の斜視図である。図１３（ｂ）は、実施形態の変形例２に係る清掃用具の粘着シート束の固定機構（ファスナー）の表面の斜視図である。図１４は、実施形態の変形例２に係る清掃用具の本体部に設けられた固定機構（ファスナー）の構成図である。図１５は、実施形態の変形例２に係る清掃用具の固定機構（ファスナー）により粘着シート束を本体部に固定した際の断面図である。以下、実施形態の変形例２に係る清掃用具について説明するが、図１〜図９を参照して説明した構成と同一の構成には同一の符号を付して重複する説明を省略する。
【００５９】
図１３〜図１５に示す例では、本体部１の係止用突起１２の上端に軸方向に形成された穴１２Ｈを設け、ファスナー７（板状部材）に設けられた２つの突起部７１を係止用突起１２の穴１２Ｈに差し込む（挿入する）ことで粘着シート束５を本体部１に固定する。
【００６０】
また、本考案の変形例２に係る清掃用具の本体部１の係止用突起１２の上端部１２１には、軸方向に穴１２Ｈが形成されており、係止用突起１２の上端部１２１に形成された穴１２Ｈに挿入される突起部７１を有し、該突起部７１を係止用突起１２の上端部１２１に形成された穴１２Ｈに挿入することで本体部１に載置される粘着シート束５を固定する板状部材７（ファスナー）を備えている。
【００６１】
本考案の変形例２によれば、簡易な構造で粘着シート束５を本体部１に固定することができるので、製造コストを抑制することができる。また、粘着シート束５が本体部１にしっかりと固定されるので、埃、ごみを除去する際に粘着シート束５が床やカーペットに取り残されることを効果的に抑制することができる。
【００６２】
なお、上記実施形態及び
【００６３】
以上、説明したように、本考案によれば、携帯性・利便性に優れ、床やカーペットや衣服等に付着した埃・ごみや毛（ペットの体毛等）を容易に除去できる清掃用具を提供することができる。
【符号の説明】
【００６４】
１  本体部
１１  ベース部
１２  係止用突起
１２Ｈ  穴
１２１  上端部
１２２  溝
１３  板状ばね
１４  フック部
２  カバー
２Ｓ  表面
２Ｒ  裏面
２１  窪み
２２  凸部
３  ヒンジ機構
３１  第１の収容部
３１１  第１の延在片
３１２  第２の延在片
３１３  突起部
３１４  貫通孔
３２  伸縮棒
３２１Ａ，３２１Ｂ  ばね状部材
３２２Ａ，３２２Ｂ  柱状部材
３２３Ａ，３２３Ｂ  平面
３３  第２の収容部
３３１Ａ，３３１Ｂ  収容穴
４  固定板
４１  貫通孔
４２  突出片
４３  長溝
５  粘着シート束
５１  粘着シート
５２  粘着面（表面）
５３  はくり面（裏面）
５４  非粘着面
５５  貫通孔
６  バインダー
６Ｓ  隙間
６１  本体
６１Ａ  一端側
６１Ｂ  他端側
６２  コイルばね
６２Ａ  一端
６２Ｂ  他端
７  ファスナー
７１  突起部
【図１】
0003207276.tif 000003
【図２】
0003207276.tif 000004
【図３】
0003207276.tif 000005
【図４】
0003207276.tif 000006
【図５】
0003207276.tif 000007
【図６】
0003207276.tif 000008
【図７】
0003207276.tif 000009
【図８】
0003207276.tif 000010
【図９】
0003207276.tif 000011
【図１０】
0003207276.tif 000012
【図１１】
0003207276.tif 000013
【図１２】
0003207276.tif 000014
【図１３】
0003207276.tif 000015
【図１４】
0003207276.tif 000016
【図１５】
0003207276.tif 000017